(57)【特許請求の範囲】
【請求項１】
手で操作できる缶切りであって、
各々第一と第二のハンドル部材を有した細長い第一と第二の操作部品で、該操作部品が、それらの端部の中間で互いに旋回可能に連結されているものと、
第二操作部品上に回転可能に搭載された牽引輪と、第一操作部品上に或る傾斜角度で回転可能に搭載された切断刃であって、そこで、ハンドル部材同士の相対的な運動によって、牽引輪と切断刃とをそれらの間に缶のリムを受け入れる非作動位置と、牽引輪と切断刃とが缶のリムに係合する作動位置との間で移動するものと、
周囲方向に隔離された位置において缶のリムの軸方向外側エッジに係合するように缶切り上に設けられた少なくとも二つの当止面であって、使用すると缶のリムの軸方向外側エッジが切断刃の近くで凸状に変形するように、第一当止面が操作で切断刃の前方になり、且つ第二当止面が操作で切断刃に追従するものとを有し、
当止面はリブとなっており、二つのリブは操作で切断刃の前方になっており且つ二つのリブは操作で切断刃に追従しており、操作で切断刃の前方になっている二つのリブ面に係合する平面は、操作部品の平面に対して傾斜した角度になっており、また操作で切断刃に追従している二つのリブ面に係合する平面は、操作部品の平面に対して反対側に傾斜した角度になっていることを特徴とする手で操作できる缶切り。
【請求項２】
第一と第二の当止面は、操作部品の平面に対して或る角度で互いに反対側に傾斜されている請求項１記載の缶切り。
【請求項３】
当止面はリブとなっており、少なくとも二つのリブは、操作で切断刃の前方になっている請求項１記載の缶切り。
【請求項４】
リブは、牽引輪に対して一定の近接関係で缶切り上に配置されたカバープレート上に形成されている請求項１記載の缶切り。
【請求項５】
当止面の一部分は、操作部品の末端に近接した位置まで湾曲して延びている請求項１記載の缶切り。
【請求項６】
横切りタイプとなっている請求項１記載の缶切り。
【請求項７】
牽引輪は、缶リムの半径方向内面に係合するように向けられた歯を備えた半径方向面と、缶の軸方向外側リムに係合するように向けられた歯を備えた軸方向面とを有していることを特徴とする請求項１記載の手で操作できる缶切り。
【請求項８】
牽引輪の軸方向面は、凸状に変形された頂点で缶の軸方向外側リムと係合している請求項８記載の缶切り。
【請求項９】
該牽引輪が半径方向に歯が形成された面と軸方向に歯が形成された面とを有していることを特徴とする請求項１記載の手で操作できる缶切り。
【発明の詳細な説明】
【０００１】
【発明の属する技術分野】
この発明は、手で操作できる缶切り、特に横切りタイプの缶切りに関する。
【０００２】
【従来の技術】
手で操作できる缶切りは、多年に渡って知られて来たものであって、三つのタイプ：即ち缶の頂壁に直接切り込む切断刃を有した第一タイプと、リムの下で缶の側壁に切り込む切断刃を有した第二タイプと、缶のリムに部分的に切り込む切断刃を有した第三タイプとに広く分類される。
【０００３】
第二と第三のタイプは、まとめて、缶のリムにおいて又はその下で缶の端を除去するのに使用される横切りタイプと称されるものである。本出願人の以前の特許であるイギリス特許第２３３４９３９号とイギリス特許第２３４１３７８号（と対応した米国特許第６，０５８，６１３号）とは、それらの内容があたかもここに明白に述べられているように組み込まれていると考えられているもので、この横切りタイプに入る缶切りについて説明している。
【０００４】
【発明が解決しようとする課題】
そのような缶切りは利点があるが、しかし、依然幾つかの不利な点もある。一つの不利な点は、缶切り作業中に缶に対して牽引輪と切断刃の向きを維持する安定性に関するものである。不安定さと動きとは、切断作業に悪影響を与えることになり、結果的に粗い切断エッジを呈したり、及び／若しくは金属切片を落としたりして、使用者の使い心地を悪くする。
【０００５】
二番目の不利な点は、缶切り作業中に缶のリム上での良好な牽引の維持に関するものである。公知の横切りタイプの缶切りは、牽引輪と缶のリムとの間にただ一つの接触点しか持っていない。骨の折れる缶切り作業中には、牽引輪はスリップを起こして、使用者には缶切り作業を更に難しくし、また缶の切断エッジの切り上がり具合を更に悪くしている。
【０００６】
本発明の目的は、そのような問題点を克服したり又は改良し、また公衆に役立つ代替缶切りを少なくとも提供することである。
【０００７】
【課題を解決するための手段】
本発明の第一形態に依れば、
各々第一と第二のハンドル部材を有した細長い第一と第二の操作部品で、該操作部品が、それらの端の中間で互いに旋回可能に連結されているものと、
第二操作部品上に回転可能に搭載された牽引輪と、第一操作部品上に或る傾斜角度で回転可能に搭載された切断刃であって、そこで、ハンドル部材同士の相対的な運動によって、牽引輪と切断刃とをそれらの間に缶のリムを受け入れる非作動位置と、牽引輪と切断刃とが缶のリムに係合する作動位置との間で移動するものと、
周囲方向に隔離された位置において缶のリムの軸方向外側エッジに係合するように缶切り上に設けられた少なくとも二つの当止面であって、使用すると缶のリムの軸方向外側エッジが切断刃の近くで凸状に変形するように、第一当止面が操作で切断刃の前方になり、且つ第二当止面が操作で切断刃に追従するものとを有し、当止面はリブとなっており、二つのリブは操作で切断刃の前方になっており且つ二つのリブは操作で切断刃に追従しており、操作で切断刃の前方になっている二つのリブ面に係合する平面は、操作部品の平面に対して傾斜した角度になっており、また操作で切断刃に追従している二つのリブ面に係合する平面は、操作部品の平面に対して反対側に傾斜した角度になっていることを特徴とする手で操作できる缶切りが提供されている。
【０００８】
好ましくは、第一と第二の当止面は、操作部品の平面に対して或る角度で互いに反対側に傾斜されている。
【０００９】
好ましくは、当止面はリブとなっており、少なくとも二つのリブは、操作で切断刃の前方になっている。
【００１１】
好ましくは、リブは、牽引輪に対して一定の近接関係で缶切り上に配置されたカバープレート上に形成されている。
【００１２】
好ましくは、当止面の一部分は、操作部品の末端に近接した位置まで湾曲して延びている。
【００１３】
好ましくは、缶切りは横切りタイプとなっている。
【００１４】
好ましくは、牽引輪は、缶リムの半径方向内面に係合するように向けられた歯を備えた半径方向面と、缶の軸方向外側リムに係合するように向けられた歯を備えた軸方向面とを有している。
【００１５】
好ましくは、牽引輪の軸方向面は、凸状に変形された頂点で缶の軸方向外側リムと係合させることができる。
【００１６】
好ましくは、該牽引輪が半径方向に歯が形成された面と軸方向に歯が形成された面とを有している。
【００１７】
【発明の実施の形態】
更に、本発明の形態は、ただ例示的に与えられているに過ぎない次の説明から明らかになる。
本発明の実施例は、今度は添付図面を参照にして、ただ例示的に、より具体的に説明される。
好適な実施例では、本発明は横切りタイプの缶切りとなっている。
【００１８】
先ず図面の内の図１と図２を参照すると、第一ハンドル部材２まで延びた第一操作部品１と、第二ハンドル部材４まで延びた第二操作部品３とを有した缶切りが図示されている。第一操作部品１と第二の操作部品１、３は、それらの端部の中間で旋回ピン５によって共に旋回可能に連結されている。切断刃７を有したカッター機構６は、部品１の第一ハンドル部材２の反対側において或る傾斜角度で旋回可能に搭載されている。牽引輪８は、部品３の第二ハンドル部材４の反対側において旋回可能に搭載されている。その構成は、ハンドル２、４同士の相対的な旋回運動が、缶切りが缶のリムを受け入れることができる非作動位置と、牽引輪８と切断刃７とが缶のリムに係合する作動位置とに基づき切断刃７と牽引輪８との間の距離を変えるようになっている。
【００１９】
操作ハンドル９は、牽引輪８に軸方向で連結されていて、牽引輪８を回動するように操作できるようになっている。
【００２０】
使用において、開放される缶のリム（図示されていない）は、牽引輪８と切断刃７との間に配置されており、またハンドル部材２、４は、牽引輪８と切断刃７とを作動位置に移動させるために共に仕向けられる。牽引輪８は、缶のリムの内側の半径方向面に係合し、また切断刃７は、缶のリムの外側の半径方向面に係合する。操作ハンドル９は、回動され、回されて牽引輪８を回転させる。これによってリムを移動させ、切断刃７に缶リムの少なくとも外側半径方向面を切り通しさせる。操作ハンドル９は、開放される缶が３６０度に渡って回転するように回され、リムの外側半径方向面の周囲は、切断刃７によって切断される。缶の端部は缶から除去される。
【００２１】
上記説明に係る缶切りは、本願出願人のイギリス特許第２３３４９３９号とイギリス特許第２３４１３７８号と対応した米国特許第６，０５８，６１３号とに更に十分に説明されている。
【００２２】
カバープレート１０が、牽引輪８と切断刃７に近接し且つ操作部品３と牽引輪８に一定の関係で配置されている。４つのリブ１１Ａ、１１Ｂ、１１Ｃ、１１Ｄがカバープレート１０上に設けられている。カバープレート１０は、牽引輪８が回転可能にそれを貫通して搭載されるように、そこに開口（図示されていない）を有している。カバープレート１０は、図３と図４により詳細に図示されている。凹形状部１６は、切断刃７が非作動位置と牽引輪８に近接した作動位置との間で移動できるようにしている。
【００２３】
二つのリブが、牽引輪８及び切断刃７のいずれの側にも設けられていて、二つの当止面を提供する。リブ１１Ａ、１１Ｂから成る第一当止面は、操作で切断刃７の前方側になり、リブ１１Ｃ、１１Ｄから成る第二当止面は、操作で切断刃に追従する。二つの一番外側のリブ１１Ａ、１１Ｄの一部分は、カバープレート１０の末端部１７の近くの位置まで湾曲して延びると共に、かくして操作部品の近くまで延びている。これによって、缶切りが図５にダッシュ線によって示されているように異なった形状と構成の缶に使用されるようにしている。
【００２４】
図６を参照すると、使用において、リブ又は当止面は、缶のリムの軸方向外側エッジ１８に対して当止して、それによって缶に対する牽引輪８と切断刃７の向きの維持性を高める。本発明の一つの新規な特徴は、第一と第二の当止面が操作部品１、３の平面に対して或る角度で互いに反対側に傾斜されている点である。
【００２５】
図６の詳細断面Ａは、操作で切断刃７の前方に位置するリブ１１Ａ、１１Ｂから成る第一当止面を示している。リブ１１Ａをリブ１１Ｂの高さＣよりもより高い高さＢを持つようにすることで、それら二つのリブの面を横切って形成される平面は、操作部品１、３の平面に対して角度Ｄ度で傾斜されている。
【００２６】
図６の詳細断面Ｅは、操作で切断刃７を追従するリブ１１Ｃ、１１Ｄから成る第二当止面を示している。切断刃７のこの側では、それらリブの面を横切っている平面が、操作部品１、３の平面に対して角度Ｈ度で反対側に傾斜されるように、リブ１１Ｄはリブ１１Ｃの高さＧよりもより高い高さＦを有している。
【００２７】
切断刃７のすぐ近くでは、使用において缶リムの外側エッジ１８が切断刃７の近くで凸状に変形できるように、当止面と缶リムの軸方向外側エッジ１８との間では接触が無い。反対側に傾斜された当止面は、凸状に変形されたエッジ１８を追従する。缶リムが凸状に変形する理由は、缶リムの半径方向の外皮が切断刃７による切り込み時に上方に変形されるからである。このことは、図８に図解されている。
【００２８】
操作で切断刃７に追従しながら、缶リムの半径方向外側面は切り込み１２が形成されて行く。このことにより、操作で切断刃７を追従している領域では缶リムの軸方向寸法Ｉを増大することになる。この理由により、第二当止面の角度Ｈ度は、操作で前方になる当止面の角度Ｄよりもより小さくされている。
【００２９】
図７から図９を参照すると、本発明のもう一つ別の新規な特徴は、牽引輪８が二つの牽引面を持っている点である。使用において、第一牽引面１３は、缶リムの半径方向内面１５に係合する向きになっており、また第二面１４は、缶の軸方向外側リム又はエッジ１８に係合する向きになっている。それら二つの面１３、１４には、缶リム面１５、１８を掴むためにほぼ等しい半径の歯又はセレーション１９が設けられている。
【００３０】
図７を参照すると、切断刃７が缶リムの外皮に切り込む作動位置に切断刃７と牽引輪８とが移動する前では、牽引輪８の第二面１４はリムエッジ１８に係合していない。リムが切断刃７の切り込みによって凸状に変形されると、その上方移動によって牽引輪８の面１４を缶リムのエッジ１８に対して係合させる。缶リム上の二つの接触面は、操作ハドル９が回転されると、缶リムの移動のために付加牽引力を提供する。
【００３１】
本発明は、ただ例示的に説明してきただけであり、説明した実施例に対する色々な他の改造例及び／若しくは代替例も、添付された特許請求の範囲に特定されているような本発明の技術的範囲から逸脱しない限り当業者によって成し得るものである。
【図面の簡単な説明】
【図１】  本発明に係る缶切りの好適な実施例を図示している。
【図２】  その缶切りの斜視図である。
【図３】  その缶切りのカバープレートを図示している。
【図４】  図３におけるＡ−Ａ’を通る断面図である。
【図５】  幾つかの缶形状に関連した缶切りを図示している。
【図６】  缶リム上における缶切りの作動状態を図示している。
【図７】  缶リム上における缶切りの切り作業の第一図解図である。
【図８】  缶リム上における缶切りの切り作業の第二図解図である。
【図９】  本発明に係る牽引輪を図示している。
【符号の説明】
１    第一操作部品
２    第一ハンドル部材
３    第二操作部品
４    第二ハンドル部材
５    旋回ピン
６    カッター機構
７    切断刃
８    牽引輪
９    操作ハンドル
１０  カバープレート
１１Ａ、１１Ｂ  第一当止面（リブ）
１１Ｃ、１１Ｄ  第二当止面（リブ）
１２  切り込み
１３  牽引輪の半径方向に歯が形成された面
１４  牽引輪が軸方向に歯が形成された面
１５  缶リムの半径方向内面
１６  凹形状部
１７  カバープレートの末端部
１８  缶リムの軸方向外側エッジ
１９  歯  又はセレーション
Ｄ    第一当止面の操作部品の平面に対する傾斜角度
Ｈ    第二当止面の操作部品の平面に対する傾斜角度
【図１】
0003981741.tif 000002
【図２】
0003981741.tif 000003
【図３】
0003981741.tif 000004
【図４】
0003981741.tif 000005
【図５】
0003981741.tif 000006
【図６】
0003981741.tif 000007
【図７】
0003981741.tif 000008
【図８】
0003981741.tif 000009
【図９】
0003981741.tif 000010